【手続補正書】
【提出日】平成18年1月25日(2006.1.25)
【手続補正１】
【補正対象書類名】明細書
【補正対象項目名】特許請求の範囲
【補正方法】変更
【補正の内容】
【特許請求の範囲】
【請求項１】  被写体の画像を撮像する撮像素子と、
連続撮像中の前記撮像素子から出力される画像をリアルタイムで表示する表示部と、
前記撮像素子から出力される画像の輝度に基づき撮像条件を補正するループの繰り返しからなるフィードバック制御を行う制御手段と
を備えた電子カメラにおいて、
前記制御手段は、
前記フィードバック制御の開始直後の第１ループでは、前記撮像素子のダイナミックレンジの全域を包含するよう少なくとも２種類の撮像条件を設定すると共に、それら撮像条件の下で前記撮像素子から出力される少なくとも２種類の画像の輝度に基づき、それら画像に続いて出力される画像を適正露出にするための適正撮像条件を算出する
ことを特徴とする電子カメラ。
【請求項２】  請求項１に記載の電子カメラにおいて、
前記制御手段は、
前記輝度と目標値とに基づいて、前記撮像条件を前記適正撮像条件に補正するための補正量を算出する
ことを特徴とする電子カメラ。
【請求項３】  請求項１又は請求項２に記載の電子カメラにおいて、
前記制御手段は、
前記第１ループでは、後続する第２ループ以降より前記補正の強度を高める
ことを特徴とする電子カメラ。
【請求項４】  請求項１〜請求項３の何れか一項に記載の電子カメラにおいて、
前記制御手段は、
前記第１ループの開始に当たり、前記少なくとも２種類の画像それぞれの撮像時に互いに異なる所定の撮像条件を設定する
ことを特徴とする電子カメラ。
【請求項５】  請求項４に記載の電子カメラにおいて、
前記制御手段は、
前記第１ループでは、前記少なくとも２種類の画像の輝度のうち所定の適正範囲内に属するものに基づいて前記撮像条件を補正する
ことを特徴とする電子カメラ。
【請求項６】  請求項１〜請求項５の何れか一項に記載の電子カメラにおいて、
前記制御手段は、
前記第１ループでは、前記少なくとも２種類の画像の輝度の評価方法を中央重点測光とする
ことを特徴とする電子カメラ。
【請求項７】  請求項１〜請求項６の何れか一項に記載の電子カメラにおいて、
前記電子カメラ内の各部に電力を供給する電源を有し、
前記制御手段は、
前記電源の起動に応じて、前記フィードバック制御を開始する
ことを特徴とする電子カメラ。
【請求項８】  請求項１〜請求項７の何れか一項に記載の電子カメラにおいて、
前記電子カメラは、画像の撮影記録を行う撮影モードと少なくとも１つの非撮影モードとの間で切り替えが可能であり、
前記制御手段は、
前記非撮影モードから前記撮影モードへの切り替えに応じて、前記フィードバック制御を開始する
ことを特徴とする電子カメラ。
【請求項９】  被写体の画像を撮像する撮像素子と、
連続撮像中の前記撮像素子から出力される画像をリアルタイムで表示する表示部と、
前記撮像素子から出力される画像の輝度に基づき撮像条件を補正するループの繰り返しからなるフィードバック制御を行う制御手段と
を備えた電子カメラにおいて、
前記制御手段は、
前記輝度が所定範囲外にあるときは、前記輝度がその所定範囲内にあるときより前記補正の強度を高める
ことを特徴とする電子カメラ。
【請求項１０】  被写体の画像を撮像する撮像素子と、
連続撮像中の前記撮像素子から出力される画像をリアルタイムで表示する表示部と、
前記撮像素子から出力される画像の輝度に基づき撮像条件を補正するループの繰り返しからなるフィードバック制御を行う制御手段と、
前記撮像素子から出力される画像の輝度に基づき点灯される照明手段と
を備えた電子カメラにおいて、
前記制御手段は、
前記照明手段の点灯時は、前記照明手段の非点灯時より前記補正の強度を高める
ことを特徴とする電子カメラ。
【請求項１１】  請求項１に記載の電子カメラにおいて、
前記制御手段は、
前記第１ループでは、前記撮像素子の電荷蓄積時間の互いに異なる少なくとも２種類の撮像条件を設定する
ことを特徴とする電子カメラ。
【手続補正２】
【補正対象書類名】明細書
【補正対象項目名】０００８
【補正方法】変更
【補正の内容】
【０００８】
【課題を解決するための手段】
本発明の電子カメラは、被写体の画像を撮像する撮像素子と、連続撮像中の前記撮像素子から出力される画像をリアルタイムで表示する表示部と、前記撮像素子から出力される画像の輝度に基づき撮像条件を補正するループの繰り返しからなるフィードバック制御を行う制御手段とを備えた電子カメラにおいて、前記制御手段は、前記フィードバック制御の開始直後の第１ループでは、前記撮像素子のダイナミックレンジの全域を包含するよう少なくとも２種類の撮像条件を設定すると共に、それら撮像条件の下で前記撮像素子から出力される少なくとも２種類の画像の輝度に基づき、それら画像に続いて出力される画像を適正露出にするための適正撮像条件を算出することを特徴とする。
【手続補正３】
【補正対象書類名】明細書
【補正対象項目名】０００９
【補正方法】変更
【補正の内容】
【０００９】
好ましくは、前記制御手段は、前記輝度と目標値とに基づいて、前記撮像条件を前記適正撮像条件に補正するための補正量を算出する。
また、好ましくは、前記制御手段は、前記第１ループでは、後続する第２ループ以降より前記補正の強度を高める。
【手続補正４】
【補正対象書類名】明細書
【補正対象項目名】００１０
【補正方法】変更
【補正の内容】
【００１０】
また、好ましくは、前記制御手段は、前記第１ループの開始に当たり、前記少なくとも２種類の画像それぞれの撮像時に互いに異なる所定の撮像条件を設定する。
さらに好ましくは、前記制御手段は、前記第１ループでは、前記少なくとも２種類の画像の輝度のうち所定の適正範囲内に属するものに基づいて前記撮像条件を補正する。
【手続補正５】
【補正対象書類名】明細書
【補正対象項目名】００１１
【補正方法】変更
【補正の内容】
【００１１】
また、好ましくは、前記制御手段は、前記第１ループでは、前記少なくとも２種類の画像の輝度の評価方法を中央重点測光とする。
また、好ましくは、前記電子カメラは、前記電子カメラ内の各部に電力を供給する電源を有し、前記制御手段は、前記電源の起動に応じて、前記フィードバック制御を開始する。
【手続補正６】
【補正対象書類名】明細書
【補正対象項目名】００１２
【補正方法】変更
【補正の内容】
【００１２】
また、好ましくは、前記電子カメラは、画像の撮影記録を行う撮影モードと少なくとも１つの非撮影モードとの間で切り替えが可能であり、前記制御手段は、前記非撮影モードから前記撮影モードへの切り替えに応じて、前記フィードバック制御を開始する。
【手続補正７】
【補正対象書類名】明細書
【補正対象項目名】００１３
【補正方法】変更
【補正の内容】
【００１３】
また、本発明の電子カメラは、被写体の画像を撮像する撮像素子と、連続撮像中の前記撮像素子から出力される画像をリアルタイムで表示する表示部と、前記撮像素子から出力される画像の輝度に基づき撮像条件を補正するループの繰り返しからなるフィードバック制御を行う制御手段とを備えた電子カメラにおいて、前記制御手段は、前記輝度が所定範囲外にあるときは、前記輝度がその所定範囲内にあるときより前記補正の強度を高めることを特徴とする。
【手続補正８】
【補正対象書類名】明細書
【補正対象項目名】００１４
【補正方法】変更
【補正の内容】
【００１４】
また、本発明の電子カメラは、被写体の画像を撮像する撮像素子と、連続撮像中の前記撮像素子から出力される画像をリアルタイムで表示する表示部と、前記撮像素子から出力される画像の輝度に基づき撮像条件を補正するループの繰り返しからなるフィードバック制御を行う制御手段と、前記撮像素子から出力される画像の輝度に基づき点灯される照明手段とを備えた電子カメラにおいて、前記制御手段は、前記照明手段の点灯時は、前記照明手段の非点灯時より前記補正の強度を高めることを特徴とする。
また、好ましくは、前記制御手段は、前記第１ループでは、前記撮像素子の電荷蓄積時間の互いに異なる少なくとも２種類の撮像条件を設定する。
【手続補正９】
【補正対象書類名】明細書
【補正対象項目名】００１８
【補正方法】変更
【補正の内容】
【００１８】
被写体からの光束は、撮影レンズ１１に入射し、絞り機構１２、シャッター機構１３を介してＣＣＤ撮像素子１４上に結像する。